(57)【要約】【課題】  簡単な構成でスピーカボックスの内部を密閉状態にすると共にスピーカボックス内部の導電コードにたるみが生じてしまうことを防止することができるスピーカ装置を提供する。【解決手段】  スピーカユニットと、箱型を成し前面の板部にスピーカユニットを固定し前記後面の板部に長円形の孔を備えるスピーカボックスと、スピーカボックス内でスピーカユニットに接続し長円形の孔を介してスピーカボックスの外部に引き出され他の装置と接続し当該他の装置から出力されたオーディオ信号をスピーカユニットに伝達する導電コードと、外径がスピーカボックスの長円形の孔より大きい円筒型を成し導電コードが貫通する孔を備える部材とを備え、部材は、前面に弾性体から成型されスピーカボックスの後面の板部の前面から後面までの長さより長く突出し断面がスピーカボックスの後面の孔より僅かに小さな長円形を成す凸部を備える。【選択図】      図４
2007306082.tif 000002
【特許請求の範囲】
【請求項１】
オーディオ信号を出力するスピーカユニットと、
前面、後面、上面、下面および左右側面が板部により形成された箱型を成し前記前面の板部に前記スピーカユニットを固定し前記後面の板部に長円形の孔を備えるスピーカボックスと、
前記スピーカボックス内で前記スピーカユニットに接続し前記長円形の孔を介して前記スピーカボックスの外部に引き出され他の装置と接続し当該他の装置から出力されたオーディオ信号を前記スピーカユニットに伝達する導電コードと、
外径が前記スピーカボックスの前記長円形の孔より大きい円筒型を成し前記導電コードが貫通する孔を備える部材とを備え、
前記部材は、前面に弾性体から成型され前記スピーカボックスの後面の板部の前面から後面までの長さより長く突出し断面が前記スピーカボックスの後面の孔より僅かに小さな長円形を成す凸部を備えることを特徴とするスピーカ装置。
【発明の詳細な説明】
【技術分野】
【０００１】
本発明は、スピーカボックス内にスピーカユニットを備え導電コードを介して他の装置から入力されたオーディオ信号を出力するスピーカ装置に関する。
【背景技術】
【０００２】
従来、スピーカボックス内にスピーカユニットを備え、オーディオ信号再生装置等の機器と導電コードによって接続し、オーディオ信号再生装置等の機器から出力されたオーディオ信号を導電コードを介してスピーカユニットに入力することでオーディオ信号を出力するスピーカ装置が知られている。
【０００３】
従来のスピーカ装置は、スピーカユニット、スピーカボックス及び導電コードを備える。スピーカユニットは、箱型であるスピーカボックスの前面に固定される。導電コードは、一端がスピーカボックスの内部においてスピーカユニットの後面に固定され、他端がスピーカボックスの後面に備える孔を介してスピーカボックスの外部に引き出される。このスピーカボックスの外部に引き出された導電コードは、オーディオ信号再生装置等の他の装置の出力端子に接続される。導電コードは、接続された他の装置の出力端子から出力されたオーディオ信号をスピーカユニットに入力する。スピーカユニットは、導電コードによってオーディオ信号が入力されると、このオーディオ信号を音として放射する。このことによって、従来のスピーカ装置は、オーディオ信号再生装置等の機器から出力されたオーディオ信号を出力する。
【０００４】
前述したような従来のスピーカ装置の中には、スピーカボックスの内部を密閉状態とした密閉型スピーカ装置がある。従来の密閉型スピーカ装置は、スピーカユニットの裏面から放射された音波をスピーカボックスの内部で反射させることによって音波を増幅させる。このような従来の密閉型スピーカ装置は、スピーカボックスの内部と外部との間に隙間が生じて密閉性が損なわれるとスピーカボックスの内部で音波が十分に増幅しなくなってしまうため、スピーカボックスの内部を外部との間に隙間が生じないようにしておく必要がある。従来の密閉型スピーカ装置は、前述したように、スピーカボックスの内部においてスピーカユニットの後面に接続された導電コードをスピーカボックスの外部に引き出すための孔をスピーカボックスの後面に備えるため、スピーカボックス内部の密閉性を高めるためにも、この孔と導電コードとの間に隙間が生じないようにする必要がある。
【０００５】
スピーカユニットの後面に接続された導電コードをスピーカボックスの内部から外部に引き出すための孔を密閉するための手段として、弾性を有するコードブッシングをスピーカボックスの孔に挿入するスピーカ装置が知られている（例えば、特許文献１参照。）。
【０００６】
図５は、特許文献１に開示されている従来のスピーカ装置を示す図で、図５（ａ）は弾性コードブッシングをスピーカボックスの後面に備える孔に挿入しようとする様子を示す断面図、図５（ｂ）は図５（ａ）の状態から弾性コードブッシングをスピーカボックスの孔に挿入した状態を示す断面図である。図５（ａ）及び図５（ｂ）においては、左方向をスピーカ装置の前方とし、右方向をスピーカ装置の後方とする。
【０００７】
従来のスピーカ装置１００は、スピーカユニット２、導電コード４、スピーカボックス３００及び弾性コードブッシング５００を備える。スピーカボックス３００は、前面に孔３０１を備え、後面に孔３１０を備える。スピーカユニット２は、外周が孔３０１の内壁に図示しない螺子等によって固定されている。導電コード４は、一端がスピーカユニット２の後面に接続され、他端が孔３１０を介してスピーカボックス３００の外部に引き出される。孔３１０からスピーカボックス３００の外部に引き出された導電コード４は、図示しないオーディオ信号再生装置の出力端子に接続される。弾性コードブッシング５００は、合成樹脂等によって成型された弾性ゴム部材であり、前後に貫通する孔５１１を備える。弾性コードブッシング５００は、前方から後方に亘って傾斜した円錐形であり、前方部分の外径が孔３１０の内径より小さく、後方部分の外径が孔３１０の内径より大きい。また、弾性コードブッシング５００の孔５１１の内径は導電コード４の外径より大きい。
【０００８】
弾性コードブッシング５００をスピーカ装置１００に固定する場合は、導電コード４を予め孔５１１に貫通させ、図５（ａ）に示すように、スピーカボックス３００から引き出された導電コード４を後方に引きながら弾性コードブッシング５００を孔３１０に押し込む。弾性コードブッシング５００は、前方部分が孔３１０に押し込まれることによって、図５（ｂ）に示すように、外周部分が内側に弾性変形して孔３１０に挿入される。このとき、弾性コードブッシング５００は、外周部分が内側に弾性変形することによって、孔５１１も内側に弾性変形し、孔５１１の内壁が導電コード４の外周部分に密着した状態となる。
【０００９】
以上の構成により、特許文献１に開示されたスピーカ装置は、弾性コードブッシング５００の孔５１１に導電コード４を貫通させた後、孔３１０に弾性コードブッシング５００を挿入することによって、孔３１０の内壁と導電コード４の外周部分を密着させると共にと孔５１１の内壁と導電コード４の外周部分を密着させることができるので、スピーカボックス３００の内部を密閉状態とすることができる。
【００１０】
【特許文献１】特開昭６０−１４６６００号公報
【発明の開示】
【発明が解決しようとする課題】
【００１１】
前述した従来のスピーカ装置１００は、図５（ａ）に示すように、弾性コードブッシング５００を孔３１０に押し込もうとする場合、弾性コードブッシング５００の前方部分を孔３１０に押し込み始めた状態で、弾性コードブッシング５００の前方の外周部分が孔３１０の内壁によって内側に弾性変形し、この結果、孔５１１の内壁も内側に弾性変形して孔５１１の内壁が導電コード４の外周部分に密着した状態となる。この状態から更に弾性コードブッシング５００を前方に押し込むと、導電コード４は弾性コードブッシング５００の孔５１１の内壁と密着した状態となっていることから、弾性コードブッシング５００が前方に押し込まれるのに同期して前方に移動する。このため、図５（ｂ）に示すように、導電コード４は、スピーカユニット２と弾性コードブッシング５００との間でたるみが生じる。このように、従来のスピーカ装置１００は、スピーカボックス３の内部において導電コード４にたるみが生じないように導電コード４を後方に引いた状態で弾性コードブッシング５００を孔３１０に押し込もうとしても、弾性コードブッシング５００を孔３１０に押し込み始めたときに孔５１１が導電コード４に密着してしまうため、この状態から更に弾性コードブッシング５００を押し込むと、孔５１１に密着した導電コード４が前方に移動してしまい、スピーカボックス３の内部で導電コード４にたるみが生じてしまう。
【００１２】
従来のスピーカ装置１００がオーディオ信号を出力する場合は、スピーカユニット２の裏面から放射された音波がスピーカボックス３００の内部で反射して増幅されるため、スピーカボックス３００の内部で導電コード４がたるんだ状態となっていると、導電コード４のたるんだ部分が増幅された音波によって共振する。導電コード４が共振すると、共振部分の導電コード４の内部の導線部材の抵抗率が不安定となり、オーディオ信号再生装置から出力されたオーディオ信号の電気的特性が不安定となってスピーカユニット２がオーディオ信号を放音する際の音質が劣化する。また、スピーカボックス３００の内部にスピーカ装置の音質を調整するためのウレタン等の防音部材を備える場合、導電コード４のたるんだ部分にこの防音部材が近接していると、導電コード４のたるんだ部分が共振することによって、この導電コード４と防音部材が当接してこの防音部材が共振し、スピーカユニット２がオーディオ信号を放音する際の音質が劣化する虞がある。
【００１３】
このような、スピーカボックス３００の内部で導電コード４がたるんだ状態となることを解消する手段として、図５（ｂ）に示すようにスピーカボックス３００の内部で導電コード４がたるんだ状態となっている場合に、スピーカボックス３００の外部に引き出されている導電コード４を後方に引っ張り、弾性コードブッシング５００の孔５１１の内壁に密着した導電コード４を後方にズラしてスピーカボックス３００の内部に生じた導電コード４のたるみを解消させることが考えられる。しかしながら、スピーカボックス３００の内部において導電コード４がどの程度たるんだ状態となっているのかを外部から認識することができないため、不用意に強い力で導電コード４を後方に引っ張った場合、スピーカユニット２に接続された導電コード４の一端部分が導電コード４を後方に引っ張る力によって断線してしまい、スピーカ装置が破損してしまう虞がある。
【００１４】
本発明は、導電コードを介して他の装置から入力されたオーディオ信号を出力するスピーカ装置において、簡単な構成でスピーカボックスの内部を密閉状態にすると共にスピーカボックス内部の導電コードにたるみが生じてしまうことを防止することができるスピーカ装置を提供することを目的とする。
【課題を解決するための手段】
【００１５】
本願の請求項１記載の発明は、スピーカ装置において、オーディオ信号を出力するスピーカユニットと、前面、後面、上面、下面および左右側面が板部により形成された箱型を成し前記前面の板部に前記スピーカユニットを固定し前記後面の板部に長円形の孔を備えるスピーカボックスと、前記スピーカボックス内で前記スピーカユニットに接続し前記長円形の孔を介して前記スピーカボックスの外部に引き出され他の装置と接続し当該他の装置から出力されたオーディオ信号を前記スピーカユニットに伝達する導電コードと、外径が前記スピーカボックスの前記長円形の孔より大きい円筒型を成し前記導電コードが貫通する孔を備える部材とを備え、前記部材は、前面に弾性体から成型され前記スピーカボックスの後面の板部の前面から後面までの長さより長く突出し断面が前記スピーカボックスの後面の孔より僅かに小さな長円形を成す凸部を備えることを特徴とする。
【発明の効果】
【００１６】
本発明のスピーカ装置によれば、導電コードを介して他の装置から入力されたオーディオ信号を出力するスピーカ装置において、簡単な構成でスピーカボックスの内部を密閉状態にすると共にスピーカボックス内部の導電コードにたるみが生じてしまうことを防止することができるスピーカ装置を提供することができる。
【発明を実施するための最良の形態】
【００１７】
本発明の実施の形態を図面を参照して説明する。なお、従来技術で示した構成要素と同一の部分については同符号を用いる。
【００１８】
図１は、本発明のスピーカ装置の構成を示す斜視図である。
スピーカ装置１は、スピーカユニット２、スピーカボックス３、導電コード４及び部材５を備える。スピーカボックス３は、箱型であり、前面、後面、上面、下面及び左右側面にそれぞれ前面板部３１、後面板部３２、上面板部３３、下面板部３４及び側面板部３５を備える。スピーカボックス３は、前面板部３１に前面に孔３０１を備え、後面板部３２に長円形の孔３０２を備える。スピーカユニット２は、外周部分が前面板部３１の孔３０１の内壁に図示しない螺子等によって固定されている。導電コード４は、一端がスピーカユニット２の後部に接続され、他端が孔３０２を介してスピーカボックス３の外部に引き出される。孔３０２からスピーカボックス３の外部に引き出された導電コード４は、図示しないオーディオ信号再生装置の出力端子に接続される。部材５は、合成樹脂等によって成型された弾性ゴム部材であり、前後に貫通する孔５０３を備える。
【００１９】
スピーカユニット２は、ダイナミック型スピーカ（Dynamic type speaker）から成り、図示しないマグネット、ボイスコイル及びコーン振動板を備える。導電コード４は、接続されたオーディオ信号再生装置の出力端子からオーディオ信号が出力されると、このオーディオ信号をスピーカユニット２に入力する。スピーカユニット２は、オーディオ信号が入力されるとマグネットとボイスコイルによりコーン振動板を振動させて音波を放射する。このことによって、スピーカ装置１は、オーディオ信号再生装置から出力されたオーディオ信号を出力する。
【００２０】
図２は、本実施例の部材５を示す図で、図２（ａ）は正面図、図２（ｂ）は側面図である。部材５は、合成樹脂等によって成型された弾性ゴム部材であって、円筒型である円筒部５０１を備え、この円筒部５０１の前面の略中央部分に断面が長円形を形成する凸部５０２を備える。孔５０３は、円筒部５０１及び凸部５０２の略中央となる位置に配設される。
円筒部５０１は、外径が図１に示す孔３０２の長辺方向の内径より大きい。凸部５０２は、断面が図１に示す孔３０２より僅かに小さい長円形である。
【００２１】
図３は、本実施例のスピーカ装置１において、部材５をスピーカボックス３に固定する状態を示す図で、図３（ａ）はスピーカボックス３の後方から部材５の円筒部５０１を後面板部３２の孔３０２に挿入した状態を示す断面図、図３（ｂ）は図３（ａ）に示す矢印Ａ方向から部材５及び後面板部３２を見た図である。
図３（ａ）においては、左方向をスピーカ装置の前方とし、右方向をスピーカ装置の後方とする。
図２に示すように、部材５の凸部５０２の前端から後端までの長さＴ１は、図３（ａ）に示す後面板部３２の前面から後面までの厚さＴ２より長いものとする。
【００２２】
図４は、本実施例のスピーカ装置１において、図３（ａ）の状態から部材５の円筒部５０１を略９０度回転させた状態を示す図で、図４（ａ）は断面図、図４（ｂ）は図４（ａ）に示す矢印Ａ方向から部材５及び後面板部３２を見た図、図４（ｃ）は図４（ａ）のＢ−Ｂ断面図である。
図４（ａ）においては、左方向をスピーカ装置の前方とし、右方向をスピーカ装置の後方とする。
【００２３】
部材５をスピーカボックス３に固定する場合は、導電コード４を予め部材５の孔５１１に貫通させておいた状態で、先ず、図３（ａ）に示すように、スピーカボックス３から引き出された導電コード４にたるみが生じないように後方に引いた状態で部材５の円筒部５０１の前面が後面板部３２の後面に当接する位置となるまで円筒部５０１を孔３０２に挿入する。このとき、図３（ｂ）に示すように、凸部５０２の断面は、後面板部３２の孔５０３の内壁より僅かに小さな長円形であることから、凸部５０２は、容易に孔３０２に挿入される。また、このとき、図３（ａ）に示すように、図２に示す部材５の凸部５０２の前端から後端までの長さＴ１は、後面板部３２の前面から後面までの厚さＴ２より長いことにより、凸部５０２の前方部分が後面板部３２の前面より前方に突出した状態となる。
【００２４】
次に、図４（ａ）に示すように、孔５０３を軸として部材５の円筒部５０１を略９０度回転させる。円筒部５０１が略９０度回転することにより、後面板部３２の前面より前方に突出した凸部５０２の前方部分は、図４（ｂ）に示すように、円筒部５０１と同様に略９０度回転し、孔３０２の左右の内壁より外側に広がった状態となる。また、円筒部５０１が略９０度回転することにより、後面板部３２の前面より前方に突出していない凸部５０２の中央部分及び後方部分は、図４（ｃ）に示すように、左右の外周部分が孔３０２の左右の内壁にそれぞれ当接し、更に凸部５０２が回転する力によって左右の外周部分が内側に弾性変形する。円筒部５０１の左右の外周部分が内側に弾性変形することによって、孔５０３も内側に弾性変形し、孔５０３の内壁が導電コード４の外周に密着した状態となる。
【００２５】
このように、部材５の円筒部５０１の前面が後面板部３２の後面に当接する位置となるまで円筒部５０１を孔３０２に挿入した後、孔５０３を軸として円筒部５０１を略９０度回転させることによって、後面板部３２の前面より前方に突出した凸部５０２の前方部分が孔３０２の左右の内壁より外側に広がった状態となることから、後面板部３２に対して部材５が後方へ移動することを抑止され、この結果、部材５が後面板部３２に保持された状態となる。また、このとき、凸部５０２が内側に弾性変形して孔５０３の内壁が導電コード４の外周と密着することにより、スピーカボックス３の内部で導電コード４にたるみが生じない状態で導電コード４が孔５０３の内壁に狭持された状態となる。また、このとき、部材５の円筒部５０１の前面が後面板部３２の後面に当接して後面板部３２の後面と円筒部５０１の前面との間に隙間が生じない状態となると共に、孔５０３の内壁が導電コード４の外周に密着して隙間が生じない状態となるので、スピーカボックス３の内部は外部から密閉された状態となる。
【００２６】
以上の構成により、本実施例のスピーカ装置１は、スピーカボックス３から引き出された導電コード４を後方に引いた状態で部材５の円筒部５０１の前面がスピーカボックス３の後面に当接する位置となるまで円筒部５０１を孔３０２に挿入した後、円筒部５０１を略９０度回転させることによって、スピーカボックス３の内部で導電コード４がたるんだ状態となることを防止すると共に、スピーカボックス３の内部を密閉状態にすることができる。
【図面の簡単な説明】
【００２７】
【図１】本発明のスピーカ装置の構成を示す斜視図。
【図２】本実施例の部材５を示す図で、図２（ａ）は正面図、図２（ｂ）は側面図。
【図３】本実施例のスピーカ装置１において、部材５をスピーカボックス３に固定する状態を示す図で、図３（ａ）はスピーカボックス３の後方から部材５の円筒部５０１を後面板部３２の孔３０２に挿入した状態を示す断面図、図３（ｂ）は図３（ａ）に示す矢印Ａ方向から部材５及び後面板部３２を見た図。
【図４】本実施例のスピーカ装置１において、図３（ａ）の状態から部材５の円筒部５０１を略９０度回転させた状態を示す図で、図４（ａ）は断面図、図４（ｂ）は図４（ａ）に示す矢印Ａ方向から部材５及び後面板部３２を見た図、図４（ｃ）は図４（ａ）のＢ−Ｂ断面図。
【図５】特許文献１に開示されている従来のスピーカ装置を示す図で、図５（ａ）は弾性コードブッシングをスピーカボックスの後面に備える孔に挿入しようとする様子を示す断面図、図５（ｂ）は図５（ａ）の状態から弾性コードブッシングをスピーカボックスの孔に挿入した状態を示す断面図。
【符号の説明】
【００２８】
１  スピーカ装置、２  スピーカユニット、
３  スピーカボックス、
３１  前面板部、３２  後面板部、３３  上面板部、３４  下面板部、
３０１  孔、３０２  孔、４  導電コード、
５  部材、５０１  円筒部、５０２  凸部、５０３  孔、
１００  スピーカ装置、３００  スピーカボックス、３１０  孔、
５００  弾性コードブッシング、５１１  孔
【図１】
2007306082.tif 000003
【図２】
2007306082.tif 000004
【図３】
2007306082.tif 000005
【図４】
2007306082.tif 000006
【図５】
2007306082.tif 000007